(57)【要約】  この発明は、絶縁性ガスが封入された圧力タンクの内部に収容され、固定側通電軸に設けられた固定側電極と可動側通電軸に設けられた可動側接点とが接離可能に構成された真空バルブと、可動側通電軸と同軸上に配設され、可動側通電軸を駆動する開閉手段と、真空バルブの固定側に固定側通電軸と同軸上に配設され、チャタリングを抑制するチャタリング抑制構造体とを備え、開閉手段は、通電することにより可動側通電軸を駆動させる電磁操作機構と、電磁操作機構と同軸上に配置され、真空バルブの閉極時に可動側接点と固定側接点の接触圧力を付与する接圧ばねと、電磁操作機構と同軸上に配置され、真空バルブの開極時に電磁操作機構の駆動力を補助する開放ばねとから構成されたものである。
2012086293.tif 000002
【特許請求の範囲】
【請求項１】
両端の開口部が可動側ベース板と固定側ベース板により封止され、絶縁性ガスが封入された圧力タンクと、前記圧力タンクの内部に収容され、固定側通電軸に設けられた固定側電極と前記固定側通電軸と同軸上に配置された可動側通電軸に設けられた可動側電極とが接離可能に構成された真空バルブと、前記圧力タンクの外部に前記可動側通電軸に接続された絶縁ロッドを介して前記可動側通電軸と同軸上に配設され、前記可動側通電軸を駆動する開閉手段と、前記真空バルブの固定側に前記固定側通電軸と同軸上に配設され、前記真空バルブの閉極時に前記可動側電極と前記固定側電極間に発生するチャタリングを抑制するチャタリング抑制構造体とを備え、前記開閉手段は、通電することにより前記可動側通電軸を前記絶縁ロッドを介して駆動させる電磁操作機構と、前記電磁操作機構と同軸上に配置され、前記真空バルブの閉極時に前記可動側電極が前記固定側電極に接触した後さらに圧縮させて、前記可動側電極と前記固定側電極の接触圧力を付与する接圧ばねと、前記電磁操作機構と同軸上に配置され、前記真空バルブの開極時に前記電磁操作機構の駆動力を補助する開放ばねとから構成されたことを特徴とする電力用開閉装置。
【請求項２】
両端の開口部が可動側ベース板と固定側ベース板により封止され、絶縁性ガスが封入された圧力タンクと、前記圧力タンクの内部に収容され、固定側通電軸に設けられた固定側電極と前記固定側通電軸と同軸上に配置された可動側通電軸に設けられた可動側電極とが接離可能に構成された真空バルブと、前記圧力タンクの外部に前記可動側通電軸に接続された絶縁ロッドを介して前記可動側通電軸と同軸上に配設され、前記可動側通電軸を駆動する開閉手段と、前記真空バルブの固定側に前記固定側通電軸と同軸上に配設され、前記真空バルブの閉極時に前記可動側電極と前記固定側電極間に発生するチャタリングを抑制するチャタリング抑制構造体とを備え、前記開閉手段は、通電することにより前記可動側通電軸を前記絶縁ロッドを介して駆動させる電磁操作機構と、前記電磁操作機構と同軸上に配置され、前記真空バルブの閉極時に前記可動側電極が前記固定側電極に接触した後さらに圧縮させて、前記可動側電極と前記固定側電極の接触圧力を付与する接圧ばねと、前記電磁操作機構と平行に配置され、前記真空バルブの開極時に前記電磁操作機構の駆動力を補助する開放ばねと、前記電磁操作機構と前記開放ばねとに連結され、前記電磁操作機構の作動により前記開放ばねに駆動力を付与するリンク機構とから構成されたことを特徴とする電力用開閉装置。
【請求項３】
請求項１または請求項２に記載の電力用開閉装置であって、前記電力用開閉装置を三台用いて、三相電力用開閉装置としたことを特徴とする電力用開閉装置。
【請求項４】
請求項３に記載の電力用開閉装置であって、前記電力用開閉装置の電磁操作機構モジュールを三相で同一としたことを特徴とする電力用開閉装置。
【請求項５】
請求項３または請求項４に記載の電力用開閉装置であって、各相の電力用開閉装置の開閉動作を位相制御できるようにことを特徴とする電力用開閉装置。
【発明の詳細な説明】
【技術分野】
【０００１】
この発明は、電力の送配電および受配電設備などに用いられる例えば真空遮断器などの電力用開閉装置に関するものである。
【背景技術】
【０００２】
従来の電力用開閉装置において、真空バルブは、真空容器の中に固定接点及びこの固定接点と所定の間隙を設けて配設された可動接点が収容されて構成されている。可動接点は絶縁部材及び接圧ばねを介して電磁操作機構の連結棒に連結されている。連結された真空バルブと電磁操作機構とが、三相分、所定間隔を設けて並列に配列されて、収容箱に収容されている。【０００３】
また、連結棒の下端部にばね受けが固定されており、電磁操作機構のヨークとばね受けとの間にばね部材としてのコイル状の開放ばねが圧縮された状態で挿入されており、開極動作時にばね受けを介して連結棒に下方開極方向のばね力を与え、開極時の駆動力を補助するようになっている。【０００４】
このような従来の電力用開閉装置の構造は、一つのベース板に三台の操作機構が設置されており、真空バルブ・接圧ばね・電磁操作機構・開放ばねが同一軸上に配置され、三相分、所定間隔を設けて並列に配列されて、収容箱に収容されている。この構造は真空バルブの可動子の開極速度を加速させるため、電磁操作機構の電磁力と開放ばねの力を加えているものである。（例えば特許文献１参照）。【０００５】
また、従来の他の電力用開閉装置において、真空バルブ・開放ばねが同一軸上に配置され、三相分、所定間隔を設けて並列に配列されて、各相間は主回路絶縁フレームにより絶縁されている。三相の真空バルブの軸方向と直交する方向に配置され、三相の真空バルブの可動軸を貫通する一本の駆動軸が設けられ、駆動軸に連結された電磁操作装置により一本の駆動軸を回動することにより、三相の真空バルブの各可動軸を一括して駆動し、三相の真空バルブの固定接点と可動接点の開閉を三相一括型して行なうようにしている。（例えば特許文献２参照）。
【先行技術文献】
【特許文献】
【０００６】
【特許文献１】特開２００８−８４７１８号公報（図４）
【特許文献２】特開平７−３２０６０４号公報（図１）
【発明の概要】
【発明が解決しようとする課題】
【０００７】
上述した従来の電力用開閉装置においては、一つのベース板に三台の操作機構が設置されており、真空バルブ・接圧ばね・電磁操作機構・開放ばねが同一軸上に配置され、三相分、所定間隔を設けて並列に配列されて、収容箱に収容されているため、真空バルブの閉極動作時に真空バルブの可動接点と固定接点が振動的に接触を繰り返すチャタリング現象はベース板を介して他相の影響を受けるため、チャタリング抑制が困難であった。【０００８】
また、従来の他の電力用開閉装置においては、真空バルブ・開放ばねが同一軸上に配置され、三相分、所定間隔を設けて並列に配列されて、三相の真空バルブの軸方向と直交する方向に三相の真空バルブの可動軸を貫通する一本の駆動軸が設けられ、駆動軸に連結された電磁操作装置により一本の駆動軸を回動することにより、三相の真空バルブの各可動軸を一括して駆動し、三相の真空バルブの固定接点と可動接点の開閉を三相一括型して三相同時に真空バルブを開閉するため、各相を開閉サージが低くなる特定位相で開閉させることが可能な位相制御電力用開閉装置への対応が困難であった。【０００９】
この発明は、上記のような課題を解決するためになされたものであり、チャタリングの影響を抑制することができるとともに、単相、三相、位相制御に対応可能な電力用開閉装置を提供するものである。
【課題を解決するための手段】
【００１０】
この発明に係わる電力用開閉装置は、両端の開口部が可動側ベース板と固定側ベース板により封止され、絶縁性ガスが封入された圧力タンクと、前記圧力タンクの内部に収容され、固定側通電軸に設けられた固定側電極と前記固定側通電軸と同軸上に配置された可動側通電軸に設けられた可動側電極とが接離可能に構成された真空バルブと、前記圧力タンクの外部に前記可動側通電軸に接続された絶縁ロッドを介して前記可動側通電軸と同軸上に配設され、前記可動側通電軸を駆動する開閉手段と、前記真空バルブの固定側に前記固定側通電軸と同軸上に配設され、前記真空バルブの閉極時に前記可動側電極と前記固定側電極間に発生するチャタリングを抑制するチャタリング抑制構造体とを備え、前記開閉手段は、通電することにより前記可動側通電軸を前記絶縁ロッドを介して駆動させる電磁操作機構と、前記電磁操作機構と同軸上に配置され、前記真空バルブの閉極時に前記可動側電極が前記固定側電極に接触した後さらに圧縮させて、前記可動側電極と前記固定側電極の接触圧力を付与する接圧ばねと、前記電磁操作機構と同軸上に配置され、前記真空バルブの開極時に前記電磁操作機構の駆動力を補助する開放ばねとから構成されたものである。【００１１】
また、この発明に係わる電力用開閉装置は、両端の開口部が可動側ベース板と固定側ベース板により封止され、絶縁性ガスが封入された圧力タンクと、前記圧力タンクの内部に収容され、固定側通電軸に設けられた固定側電極と前記固定側通電軸と同軸上に配置された可動側通電軸に設けられた可動側電極とが接離可能に構成された真空バルブと、前記圧力タンクの外部に前記可動側通電軸に接続された絶縁ロッドを介して前記可動側通電軸と同軸上に配設され、前記可動側通電軸を駆動する開閉手段と、前記真空バルブの固定側に前記固定側通電軸と同軸上に配設され、前記真空バルブの閉極時に前記可動側電極と前記固定側電極間に発生するチャタリングを抑制するチャタリング抑制構造体とを備え、前記開閉手段は、通電することにより前記可動側通電軸を前記絶縁ロッドを介して駆動させる電磁操作機構と、前記電磁操作機構と同軸上に配置され、前記真空バルブの閉極時に前記可動側電極が前記固定側電極に接触した後さらに圧縮させて、前記可動側電極と前記固定側電極の接触圧力を付与する接圧ばねと、前記電磁操作機構と平行に配置され、前記真空バルブの開極時に前記電磁操作機構の駆動力を補助する開放ばねと、前記電磁操作機構と前記開放ばねとに連結され、前記電磁操作機構の作動により前記開放ばねに駆動力を付与するリンク機構とから構成されたものである。
【発明の効果】
【００１２】
この発明に係わる電力用開閉装置によれば、チャタリングの影響を抑制することができるとともに、単相、三相、位相制御に対応可能な電力用開閉装置を得ることができる。
【図面の簡単な説明】
【００１３】
【図１】この発明の実施の形態１に係わる電力用開閉装置を示す断面図である。
【図２】この発明の実施の形態２に係わる電力用開閉装置を示す断面図である。
【図３】この発明の実施の形態２に係わる電力用開閉装置における開閉手段の開放ばねおよびレバーの取付方向を示す図である。
【発明を実施するための形態】
【００１４】
実施の形態１．
以下、この発明の実施の形態１を図１に基づいて説明するが、図において、同一、または相当部材、部位については同一符号を付して説明する。図１はこの発明の実施の形態１に係わる電力用開閉装置を示す断面図である。
【００１５】
図１において、各相の圧力タンク１は電気的に接地され、両端の開口部が可動側ベース板２と固定側ベース板３により封止されて絶縁性ガスが封入され、例えば、絶縁性ガスとして、温暖化係数がほぼ零で地球温暖化防止に有効な乾燥空気や窒素、二酸化炭素といった絶縁性ガスが封入されている。
【００１６】
真空バルブ４は圧力タンク１の内部にそれぞれ収容され、固定側通電軸５に設けられた固定側電極６と固定側通電軸５と同軸上に配置された可動側通電軸７に設けられた可動側電極８とが接離可能に構成されている。真空バルブ４の固定側には固定側通電軸５に接続された固定側端板９が設けられている。
【００１７】
開閉手段１０は、圧力タンク１の外部に各真空バルブ４に対応して配設され、真空バルブ４の可動側通電軸７に接続された絶縁ロッド１１を介して可動側通電軸７と同軸上に配置され、可動側通電軸７を駆動するように配設されている。
【００１８】
これら開閉手段１０は、それぞれ次のように構成されている。内部に配設された励磁コイル（図示せず）を通電することにより駆動軸１２ａを真空バルブ４の方向へ駆動し、この駆動軸１２ａと係合されたばね受体１３、ばね受体１３に連結された操作軸１４、操作軸１４と可動側通電軸７とに連結された絶縁ロッド１１を介して可動側通電軸７を駆動させる電磁操作機構１２と、この電磁操作機構１２と同軸上に配置され、真空バルブ４の閉極時に可動側電極８が固定側電極に６接触した後さらに圧縮させて、可動側電極８と固定側電極６の接触圧力を付与する接圧ばね１５と、電磁操作機構１２と同軸上に配置され、真空バルブ４の開極時に電磁操作機構１２の駆動力を補助する開放ばね１６とから構成されている。
【００１９】
なお、接圧ばね１５は電磁操作機構１２の駆動軸１２ａによりばね受体１３が真空バルブ４の方向へ移動されることによって圧縮され、その圧縮による付勢力により可動側電極８と固定側電極６の接触圧力を付与するように構成されている。
【００２０】
また、開放ばね１６は電磁操作機構１２の駆動軸１２ａの他端部に接続されたばね受体１７により、真空バルブ４の閉極動作時においては圧縮されて付勢力が蓄積され、真空バルブ４の開極動作時においては付勢力の蓄積状態が開放され、蓄積された付勢力により可動側電極８が固定側電極６から迅速に離間するように作用し、電磁操作機構１２の補助作用を行うように構成されている。
【００２１】
そして、真空バルブ４の固定側である固定側端板９に固定側通電軸５と同軸上に配設され、真空バルブ４の閉極時に可動側電極８と固定側電極６間に発生するチャタリングを抑制するチャタリング抑制構造体１８を設けている。なお、各開閉手段１０は例えば一つの操作箱１９により覆っている。
【００２２】
次に動作について説明する。真空バルブ４の閉極動作時において、電磁操作機構１２に内蔵された励磁コイル（図示せず）を通電することにより、電磁操作機構１２の駆動軸１２ａを真空バルブ４の方向へ駆動し、この駆動軸１２ａと係合されたばね受体１３、ばね受体１３に連結された操作軸１４、操作軸１４と可動側通電軸７とに連結された絶縁ロッド１１を介して可動側通電軸７を駆動する。
【００２３】
真空バルブ４の可動側通電軸７が駆動されることにより、真空バルブ４の可動側電極８が固定側電極６に接触する。そして、可動側電極８が固定側電極６に接触した後さらに接圧ばね１５により可動側通電軸７が押圧されて可動側電極８と固定側電極６との接触圧力がさらに付与されて閉極動作が完了する。
【００２４】
真空バルブ４の閉極時に、可動側電極８と固定側電極６間に発生するチャタリングは、真空バルブ４の固定側である固定側端板９に固定側通電軸５と同軸上に配設したチャタリング抑制構造体１８により抑制することができる。
【００２５】
このように、三相の各相において、圧力タンク１内に収容された真空バルブ４、この真空バルブ４の可動側通電軸７に接続された絶縁ロッド１１および操作軸１４を介して同軸上に配置された開閉手段１０が各圧力タンク１の可動側ベース板２にそれぞれ設置されており、それぞれが独立した単相電力用開閉装置となっているため、他相の真空バルブ４の開閉動作によるチャタリングの影響を受けにくくなり、チャタリング抑制を容易に行うことができる。
【００２６】
また、真空バルブ４の閉極動作時において、電磁操作機構１２に内蔵された励磁コイル（図示せず）を通電することにより、例えば、電磁操作機構１２の駆動軸１２ａの他端部に接続されたばね受体１７によって開放ばね１６が圧縮されて付勢力が蓄勢される。すなわち、真空バルブ４の閉極時には開放ばね１６に付勢力が蓄勢されているので、真空バルブ４の開極動作時において、電磁操作機構１２に内蔵された励磁コイル（図示せず）への通電を停止することにより、真空バルブ４の可動側通電軸７を固定側電極６から可動側電極８を離間させるよう可動させるが、開放ばね１６の付勢力の蓄勢状態が開放され、開放ばね１５の蓄勢された付勢力によって可動側電極８が固定側電極６から迅速に離間するように作用し、真空バルブ４の開極動作が完了するようになっている。
【００２７】
ところで、各相毎に配設された３台の開閉手段１０は圧力タンク1外部に設置され、一つの操作箱１７で３台の開閉手段１０を覆うように構成しているので、操作箱１５の小型化・簡略化・低コスト化を図ることができる。
【００２８】
また、上述した特許文献２に示された従来の電力用開閉装置では、三相の真空バルブの軸方向と直交する方向に三相の真空バルブの可動軸を貫通する一本の駆動軸を設け、この駆動軸に連結された電磁操作装置により一本の駆動軸を回動することにより、三相の真空バルブの各可動軸を一括して駆動し、三相の真空バルブの固定接点と可動接点の開閉を三相一括型して三相同時に真空バルブを開閉するので、三相連結した駆動軸など大型部品が必要となるのに対し、この実施の形態１における電力用開閉装置では、各相毎に開閉手段１０が配設しているので、三相連結した駆動軸などの大型部品が不要となるため、開閉手段１０の機械駆動部品を最小数化し、電力用開閉装置の駆動装置としての信頼性が向上し小型化を図ることができる。
【００２９】
また、三相の電力用開閉装置における各単相のモジュールは同一であるため、開閉手段１０を各相のユニット毎で組み立てることができ、生産性が向上し低コスト化をはかることができる。
【００３０】
また、この実施の形態１においては、三相の各相において、圧力タンク１内に収容された真空バルブ４、この真空バルブ４の可動側通電軸７に接続された絶縁ロッド１１および操作軸１４を介して同軸上に配置された開閉手段１０が各圧力タンク１の可動側ベース板２にそれぞれ設置されており、それぞれが独立した単相電力用開閉装置となっているため、各相の開閉手段１０の開閉動作タイミングを制御することで、チャタリングを抑制しながら、位相制御電力用開閉装置としての対応も可能となる。
【００３１】
実施の形態２．
この発明の実施の形態２を図２および図３に基づいて説明するが、各図において、同一、または相当部材、部位については同一符号を付して説明する。図２はこの発明の実施の形態２に係わる電力用開閉装置を示す断面図である。図３はこの発明の実施の形態２に係わる電力用開閉装置における開閉手段の開放ばねおよびレバーの取付方向を示す図である。
【００３２】
この実施の形態２においては、両端の開口部が可動側ベース板２と固定側ベース板３により封止され、絶縁性ガスが封入された圧力タンク１と、圧力タンク１の内部に収容され、固定側通電軸５に設けられた固定側電極６と固定側通電軸５と同軸上に配置された可動側通電軸７に設けられた可動側電極８とが接離可能に構成された真空バルブ４と、圧力タンク１の外部に可動側通電軸７に接続された絶縁ロッド１１を介して可動側通電軸７と同軸上に配設され、可動側通電軸７を駆動する開閉手段２０と、真空バルブ４の固定側である固定側端板９に固定側通電軸５と同軸上に配設され、真空バルブ４の閉極時に可動側電極８と固定側電極６間に発生するチャタリングを抑制するチャタリング抑制構造体１８とを備えている。
【００３３】
基本構成は上述した実施の形態１と同様であるが、この実施の形態２における開閉手段２０は次のように構成されている。内部に配設された励磁コイル（図示せず）を通電することにより駆動軸１２ａを真空バルブ４の方向へ駆動し、この駆動軸１２ａと係合されたばね受体１３、ばね受体１３に連結された操作軸１４、操作軸１４と可動側通電軸７とに連結された絶縁ロッド１１を介して可動側通電軸７を駆動させる電磁操作機構１２と、この電磁操作機構１２と同軸上に配置され、真空バルブ４の閉極時に可動側電極８が固定側電極に６接触した後さらに圧縮させて、可動側電極８と固定側電極６の接触圧力を付与する接圧ばね１５と、電磁操作機構１２と平行に配置され、真空バルブ４の開極時に電磁操作機構１２の駆動力を補助する開放ばね２１と、電磁操作機構１２と開放ばね２１とに連結され、電磁操作機構１２の作動により開放ばね２１に駆動力を付与するリンク機構２２とから構成されている。
【００３４】
リンク機構２２は、例えば、電磁操作機構１２に取り付けられた基台２３に支台２４を設け、レバー体２５の一方側を支台２４に枢着し、レバー体２５の他方側に支棒２６の一方側を枢着し、支棒２６の他方側に開放ばね２１を受け止めるばね受体２７を取り付け、レバー体２５の中央部は操作軸１４に枢着されて構成されている。
【００３５】
なお、接圧ばね１５は、上述した実施の形態１と同様に、電磁操作機構１２の駆動軸１２ａによりばね受体１３が真空バルブ４の方向へ移動されることによって圧縮され、その圧縮による付勢力により可動側電極８と固定側電極６の接触圧力を付与するように構成されている。
【００３６】
また、この実施の形態２における開放ばね２１は、電磁操作機構１２の駆動軸１２ａが真空バルブ４の方向へ駆動されることにより、操作軸１４も真空バルブ４の方向へ移動する。この操作軸１４の移動によりリンク機構２２のレバー体２５の中央部は操作軸１４と連動して真空バルブ４の方向へ移動することになり、レバー体２５は支台２４に枢着された一方側を支点として他方側が図２において右側に回動する。この回動によりレバー体２５の他方側に枢着された支棒２６は真空バルブ４の方向へ移動する。この支棒２６は真空バルブ４の方向へ移動により、支棒２６の他方側に接続されたばね受体２７により、真空バルブ４の閉極動作時においては圧縮されて付勢力が蓄積され、真空バルブ４の開極動作時においては付勢力の蓄積状態が開放され、蓄積された付勢力により可動側電極８が固定側電極６から迅速に離間するように作用し、電磁操作機構１２の補助作用を行うように構成されている。
【００３７】
このように、開放ばね２１を電磁操作機構１２に対して平行に設置することで、開放ばね２１の設置場所の範囲が広がり、リンク機構２２のレバー体２５の長さおよび開放ばね２１の種類の選定範囲も広がるため、必要な開放速度を容易に得ることができる。また、軸方向の寸法が短くなるため、操作箱１９の小型化も図ることができる。
【００３８】
ところで、開閉手段２０の開放ばね２１およびリンク機構２２のレバー体２５は、図３（ａ）に示すように、垂直方向に配置した場合について述べたが、これに限定されるものではなく、例えば、図３（ｂ）に示すように、９０度回転されて水平方向に配置して取り付けてもよい。
【００３９】
このように、開閉手段２０の開放ばね２１およびリンク機構２２のレバー体２５の取り付け方向を９０度回転可能とすることで、電磁操作機構１２の配線や絶縁性ガス封入時のガス系統の取り付け位置を多様化できるという効果を奏する。
【００４０】
さらに、レバー体２５等の機械駆動部品を最小数化し、電力用開閉装置の駆動装置としての信頼性が向上し小型化を図ることができる。
【００４１】
また、この実施の形態２によれば、上述した効果は勿論のこと、図２に示す電力開閉装置を三相分配設することにより、上述した実施の形態１と同様の効果を奏する。
【産業上の利用可能性】
【００４２】
この発明は、チャタリングの影響を抑制することができるとともに、単相、三相、位相制御に対応可能な電力用開閉装置の実現に好適である。
【図１】
2012086293.tif 000003
【図２】
2012086293.tif 000004
【図３】
2012086293.tif 000005
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
絶縁性ガスが封入された圧力タンクと、前記圧力タンクの内部に収容され、固定側通電軸に設けられた固定側電極と前記固定側通電軸と同軸上に配置された可動側通電軸に設けられた可動側電極とが接離可能に構成された真空バルブと、前記圧力タンクの外部に前記可動側通電軸に接続された絶縁ロッドを介して前記可動側通電軸と同軸上に配設され、前記可動側通電軸を駆動する開閉手段と、前記真空バルブの固定側に前記固定側通電軸と同軸上に配設され、前記真空バルブの閉極時に前記可動側電極と前記固定側電極間に発生するチャタリングを抑制するチャタリング抑制構造体とを備え、前記開閉手段は、通電することにより前記可動側通電軸を前記絶縁ロッドを介して駆動させる電磁操作機構と、前記電磁操作機構と同軸上に配置され、前記真空バルブの閉極時に前記可動側電極が前記固定側電極に接触した後さらに圧縮させて、前記可動側電極と前記固定側電極の接触圧力を付与する接圧ばねと、前記電磁操作機構と平行に配置され、前記真空バルブの開極時に前記電磁操作機構の駆動力を補助する開放ばねと、前記電磁操作機構と前記開放ばねとに連結され、前記電磁操作機構の作動により前記開放ばねに駆動力を付与するリンク機構とから構成されたことを特徴とする電力用開閉装置。
【請求項２】
請求項１に記載の電力用開閉装置であって、前記電力用開閉装置を三台用いて、三相電力用開閉装置としたことを特徴とする電力用開閉装置。
【請求項３】
請求項２に記載の電力用開閉装置であって、前記電力用開閉装置の電磁操作機構モジュールを三相で同一としたことを特徴とする電力用開閉装置。
【請求項４】
請求項２または請求項３に記載の電力用開閉装置であって、各相の電力用開閉装置の開閉動作を位相制御できるようにことを特徴とする電力用開閉装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
この発明に係わる電力用開閉装置は、絶縁性ガスが封入された圧力タンクと、前記圧力タンクの内部に収容され、固定側通電軸に設けられた固定側電極と前記固定側通電軸と同軸上に配置された可動側通電軸に設けられた可動側電極とが接離可能に構成された真空バルブと、前記圧力タンクの外部に前記可動側通電軸に接続された絶縁ロッドを介して前記可動側通電軸と同軸上に配設され、前記可動側通電軸を駆動する開閉手段と、前記真空バルブの固定側に前記固定側通電軸と同軸上に配設され、前記真空バルブの閉極時に前記可動側電極と前記固定側電極間に発生するチャタリングを抑制するチャタリング抑制構造体とを備え、前記開閉手段は、通電することにより前記可動側通電軸を前記絶縁ロッドを介して駆動させる電磁操作機構と、前記電磁操作機構と同軸上に配置され、前記真空バルブの閉極時に前記可動側電極が前記固定側電極に接触した後さらに圧縮させて、前記可動側電極と前記固定側電極の接触圧力を付与する接圧ばねと、前記電磁操作機構と平行に配置され、前記真空バルブの開極時に前記電磁操作機構の駆動力を補助する開放ばねと、前記電磁操作機構と前記開放ばねとに連結され、前記電磁操作機構の作動により前記開放ばねに駆動力を付与するリンク機構とから構成されたものである。
【国際調査報告】
2012086293.tif 000006
2012086293.tif 000007
2012086293.tif 000008
2012086293.tif 000009